(57)【要約】      （修正有）【課題】電気扇風機構造を提供する。【解決手段】電気扇風機構造はファンヘッド１０のサポートポール２０に結合台２２を設置し、結合台２２の中央には軸孔２３を有し、相対する両側面には嵌入槽２４をそれぞれ陥没状に有し、嵌入槽２４の槽壁には嵌入口２５及び少なくとも１個の制御口２６をそれぞれ陥没状に設置する。電気扇風機のサポートフレーム３０頂端両側には上方へと延伸する結合翼３１をそれぞれ設置し、２個の結合翼３１は嵌入口２５を経て対応する嵌入槽２４内に嵌入する。結合翼３１は軸孔２３位置に対応し、穿孔３２を有し、制御口２６位置に対応し制御板３３を突出状に有し、制御口２６内に進入し、その後、固定軸２７により穿孔３２、軸孔２３を通過し、ファンヘッド１０とサポートフレーム３０とを結合し、迅速結合の効果を備える。電気扇風機はモーター１１後側の伝動軸軸端に位置し、クランク１３の一端と連接する。クランク１３の反対端はサポートポール２０の一位置上に枢接する。【選択図】図２
0003215049.tif 000002
【実用新案登録請求の範囲】
【請求項１】
電気扇風機構造であって、ファンヘッド、前記ファンヘッドをサポートするサポートポール、及び前記サポートポールと連接するサポートフレームを有し、
前記サポートポールには、結合台を設置し、前記結合台の中央には、軸孔を有し、相対する両側面には、嵌入槽をそれぞれ陥没状に有し、前記嵌入槽の槽壁には、嵌入口及び少なくとも１個の制御口をそれぞれ陥没状に設置し、
前記サポートフレーム頂端両側には、上方へと延伸する結合翼をそれぞれ設置し、前記２個の結合翼は、前記嵌入口を経由し、対応する嵌入槽内に径方向に嵌入され、
前記結合翼は、前記軸孔位置に対応し、穿孔を有し、前記制御口位置に対応し、制御板を突出状に設置し、前記制御口内に進入し、
前記２個の結合翼により、前記嵌入口から径方向へと前記嵌入槽内に嵌入し、これにより前記制御板は前記制御口内に進入し、続いて、固定軸により前記穿孔、前記軸孔を通過後、固定し、こうして前記ファンヘッドのサポートポールと前記サポートフレームとを結合することを特徴とする電気扇風機構造。
【請求項２】
前記ファンヘッドの内部には、モーターの伝動軸を配置し、
前記伝動軸の後側には、減速ギアセットを連接し、出力軸を連接し、前記出力軸とクランクの一端とは連接し、
前記クランクの反対端は、前記サポートポール上方へと延伸するアームの一位置上に枢接し、
前記モーターの両側は、フォークフレームの両側翼と連接し、前記フォークフレームの底面中央と前記サポートポールの一位置とは枢接し、
これにより、前記ファンヘッドは、３６０度回転できることを特徴とする請求項１に記載の電気扇風機構造。
【請求項３】
前記嵌入槽の槽内底面には、凹凸状の滑り止め面を配置することを特徴とする請求項１或いは２に記載の電気扇風機構造。
【請求項４】
前記固定軸は、外ネジヤマを有し、さらにナットを有し、前記固定軸と螺接し、
前記ナットの相互に対応する両側には、前記結合翼の半分の幅よりやや大きい定位翼をそれぞれ外へと延伸し、前記２個の定位翼の端部は、さらに前記結合翼端へと湾曲し係止エッジを有し、
これにより、前記ナットが前記結合翼側に接触する時、前記２個の係止エッジは、それぞれ前記結合翼の片側に接触及び制限されることを特徴とする請求項１或いは２に記載の電気扇風機構造。
【考案の詳細な説明】
【技術分野】
【０００１】
本考案は電気扇風機構造に関し、特にファンヘッドサポートポールと下方に位置するサポートフレームとの間の連結が簡易で迅速かつ堅固で、しかもファンヘッドは３６０度回転できる電気扇風機構造に関する。
【背景技術】
【０００２】
電気扇風機はおおよそファンヘッドを有する。ファンヘッドの底端には、サポートポールを連接する。サポートポールの底端はさらに、サポートフレームの頂端と連接し、サポートフレームの底端はさらに直立し、或いは設置面（床面、或いは壁扇の設置面、即ち壁面）に固定される。
【０００３】
従来のサポートポールとサポートフレームの間の連接位置には、おおよそトルクバネ、ピボット、多数の回転定位点等が設置され、これによりファンヘッドの上、下仰角を調整する。しかし、これら構成部材の配置により、組み立てには非常に時間がかかる。特に、トルクバネは、弾力を有するため、組み立てが難しい。また、現在の扇風機のファンヘッドはすでに３６０度回転が可能な構造であるが、ファンヘッドの上、下仰角の調整は、絶対に必要なわけではない。
【考案の概要】
【考案が解決しようとする課題】
【０００４】
前記先行技術には、構成部材の組み立てに非常に時間がかかり、特にトルクバネは弾力を有するため組み立てが難しく、ファンヘッドの上、下仰角の調整は絶対に必要なわけではないという欠点がある。
【課題を解決するための手段】
【０００５】
本考案はサポートポールとサポートフレーム間の結合が簡単で、製造工程をシンプルにできる電気扇風機構造で、ファンヘッドは３６０度回転できる電気扇風機構造に関する。
【０００６】
本考案による電気扇風機構造は、ファンヘッドのサポートポールに結合台を設置し、該結合台の中央には、軸孔を有し、相対する両側面には、嵌入槽をそれぞれ陥没状に有し、該嵌入槽の槽壁には、嵌入口及び少なくとも１個の制御口をそれぞれ陥没状に設置する。電気扇風機のサポートフレーム頂端両側には、上方へと延伸する結合翼をそれぞれ設置し、該２個の結合翼は、嵌入口を経て対応する嵌入槽内に嵌入する。該結合翼は、該軸孔位置に対応し、穿孔を有し、該制御口位置に対応し制御板を突出状に有し、制御口内に進入し、その後、固定軸により該穿孔、軸孔を通過し、該ファンヘッドとサポートフレームとを結合し、迅速結合の効果を備える。
【０００７】
本考案による電気扇風機において、モーターは後側の伝動軸軸端に位置し、クランクの一端と連接する。該クランクの反対端は該サポートポールの一位置上に枢接する。該モーターの両側は、フォークフレームによりサポートされ、該フォークフレーム中央は、該サポートポールと枢接する。上記設置により、該ファンヘッドは元の位置で３６０度回転できる。
【考案の効果】
【０００８】
上述の説明により明らかな通り、本考案は応用において少なくとも以下の効果を備える。
１.ファンヘッド１０とサポートフレーム３０間の結合は簡単で迅速である。
２.ファンヘッド１０は、３６０度回転できる。
【図面の簡単な説明】
【０００９】
【図１】本考案実施形態の側視図である。
【図２】本考案実施形態の分解図（ファンネット及びモーターケース等を除去）である。
【図３】本考案実施形態のファンヘッド内部構造図（ファンネット及びモーターケース等を除去）である。
【図４】図３の側視図である。
【図５】本考案実施形態のサポートポールとフォークフレームの結合立体図である。
【図６】本考案実施形態のサポートポールとサポートフレームの結合断面図である。
【図７】本考案実施形態のサポートポールと別種のサポートフレームの立体結合図である。
【図８】本考案実施形態のサポートポールと別種のサポートフレームの分解図である。
【図９】本考案実施形態のモーターがファンヘッドを駆動し３６０度回転を行わせるサポートポールとフォークフレーム動作図で、ａは前視図、ｂは俯視図、ｃは側視図である。
【図１０】本考案実施形態のモーターがファンヘッドを駆動し３６０度回転を行わせるサポートポールとフォークフレーム動作図で、ａは前視図、ｂは俯視図、ｃは側視図である。
【図１１】本考案実施形態のモーターがファンヘッドを駆動し３６０度回転を行わせるサポートポールとフォークフレーム動作図で、ａは前視図、ｂは俯視図、ｃは側視図である。
【図１２】本考案実施形態のモーターがファンヘッドを駆動し３６０度回転を行わせるサポートポールとフォークフレーム動作図で、ａは前視図、ｂは俯視図、ｃは側視図である。
【考案を実施するための形態】
【００１０】
図１〜３に示す通り、本考案実施形態の電気扇風機１は、ファンヘッド１０、ファンヘッド１０底端より下方へと延伸するサポートポール２０、及び頂端がサポートポール２０と連接するサポートフレーム３０を有する。
【００１１】
ファンヘッド１０（図３〜５参照）内部には、モーター１１を配置し、モーター１１後側の伝動軸において、減速ギアセット１２を経て減速後、出力軸１１０とクランク１３の一端とは連接（Ａ位置）する。
クランク１３の反対端は、サポートポール２０上方へと延伸するアーム２１位置上（Ｂ位置）に枢接する。モーター１１の両側は、フォークフレーム１４の両側翼１４０と連接し、フォークフレーム１４の底面中央は、サポートポール２０と枢接する（Ｃ位置）。
【００１２】
サポートポール２０（図５参照）底端側壁には、結合台２２を設置する。結合台２２の中央には、軸孔２３を有し、相対する両側面には、嵌入槽２４をそれぞれ陥没状に有する。嵌入槽２４の槽壁には、嵌入口２５及び少なくとも１個の制御口２６をそれぞれ陥没状に設置する（本実施形態では２個設置し、これによりファンヘッドの仰角の調整を選択的に行うことができる）。嵌入槽２４の槽内底面には、凹凸状の滑り止め面２４０を配置する（図３参照）。
【００１３】
サポートフレーム３０（図２参照）頂端両側には、上方へと延伸する結合翼３１をそれぞれ設置する。２個の結合翼３１は、嵌入口２５を経由し、対応する嵌入槽２４内に径方向に嵌入される。結合翼３１は、軸孔２３位置に対応し、穿孔３２を有し、制御口２６位置に対応し、外縁に制御板３３を外へと突出状に有し、制御口２６内に挿入する。
【００１４】
サポートフレーム３０と結合台２２とを組合せる時、２個の結合翼３１を、嵌入口２５径方向から嵌入槽２４内に嵌入し、制御板３３を制御口２６内へ入らせる。次に、固定軸２７を穿孔３２、軸孔２３に通した後に固定し、ファンヘッド１０のサポートポール２０とサポートフレーム３０とを一体に結合し（図６参照）、迅速な結合効果を達成する。制御板３３が制御口２６内に進入する（図１参照）ため、結合台２２と結合翼３１との間には回転関係がない。しかも、滑り止め面２４０の設置により、結合翼３１は嵌入槽２４内に嵌入された後、滑り止め面２４０と緊密に接触して結合されると、滑り止め効果を備え、接触結合強度を向上させることができる。図１、２に示すサポートフレーム３０は設置台で、図７〜８に示す壁掛式或いはスタンド式電気扇風機のサポートフレーム３０に応用する場合にも、ファンヘッド１０のサポートポール２０とサポートフレーム３０とを連接できる。
【００１５】
固定軸２７の構造（図２参照）は、外ネジヤマを有し、さらにナット２８を有し、固定軸２７と螺接し、サポートポール２０とサポートフレーム３０とを一体に結合する。ナット２８は、相互に対応する両側に、結合翼３１の半分の幅よりやや大きい定位翼２８０をそれぞれ外へと延伸し、２個の定位翼２８０の端部は、さらに結合翼３１端へと湾曲し係止エッジ２８１を有する。これにより、ナット２８が結合翼３１側に接触する時、２個の係止エッジ２８１は、それぞれ結合翼３１の片側に接触及び制限され（図６参照）、こうして固定軸２７を回してナット２８と螺接する時、ナット２８は回転せず、結合に便利である。
【００１６】
ファンヘッド１０を３６０度回転させる時には、図９〜１２に示す通り、モーター１１後側の伝動軸を、減速ギアセット１２を経て減速後、出力軸１１０はクランク１３を駆動し、Ａ位置を不動のサポート点として３６０度回転を行う。この時モーター１１は、図９〜１２の（ａ）に示す通りファンヘッド１０を連動して３６０度回転をいっしょに行わせる。図９〜１２の（ｃ）変化図により分かる通り、出力軸１１０は上、下にスイングする。モーター１１両側は、フォークフレーム１４に支えられるため、フォークフレーム１４の底端は、Ｃ位置点において、サポートポール２０と枢接する。これにより、図９〜１２の（ｂ）に示す通り、フォークフレーム１４は、モーター１１の移動に従い、Ｃ位置を支点とし偏向移動する。
【００１７】
前述した本考案の実施形態は本考案を限定するものではなく、よって、本考案により保護される範囲は後述される実用新案登録請求の範囲を基準とする。
【符号の説明】
【００１８】
１  電気扇風機
１０  ファンヘッド
２０  サポートポール
３０  サポートフレーム
１１  モーター
１１０  出力軸
１２  減速ギアセット
１３  クランク
２１  アーム
１４  フォークフレーム
１４０  側翼
２２  結合台
２３  軸孔
２４  嵌入槽
２４０  滑り止め面
２５  嵌入口
２６  制御口
３１  結合翼
３２  穿孔
３３  制御板
２７  固定軸
２８  ナット
２８０  定位翼
２８１  係止エッジ
【図１】
0003215049.tif 000003
【図２】
0003215049.tif 000004
【図３】
0003215049.tif 000005
【図４】
0003215049.tif 000006
【図５】
0003215049.tif 000007
【図６】
0003215049.tif 000008
【図７】
0003215049.tif 000009
【図８】
0003215049.tif 000010
【図９】
0003215049.tif 000011
【図１０】
0003215049.tif 000012
【図１１】
0003215049.tif 000013
【図１２】
0003215049.tif 000014